(57)【要約】【課題】  オーガ式製氷機の貯氷庫内の氷を簡単な操作で全て排出することができる氷ディスペンサを提供する。【解決手段】  冷却円筒１５の給排水装置と、貯氷庫１９内でオーガ１６と同期回転する放出装置６２と、貯氷庫に形成された放出口６３と、該放出口を開閉するシャッタ６８と、冷却装置、オーガモータ、給排水装置及びシャッタの開閉を制御する制御装置とを備え、該制御装置は、全排出工程を備え、該全排出工程においては、所定の放出スイッチが操作された場合、次回当該放出スイッチが操作されるまでシャッタを開放し、且つ、オーガモータを連続して駆動することにより、貯氷庫内の氷を放出口から放出する。【選択図】図２
2006242453.tif 000002
【特許請求の範囲】
【請求項１】
外壁に冷却装置の冷却器が設けられた冷却円筒と、該冷却円筒内に同心的且つ回転可能に挿入されたオーガと、該オーガを回転駆動するオーガモータとを有し、前記冷却円筒の内壁に生成した氷を前記オーガにより削取し、上方に移送して圧縮することにより、連続的に氷片を生成して貯氷庫に貯えるオーガ式製氷機を備えた氷ディスペンサにおいて、
前記冷却円筒の給排水装置と、
前記貯氷庫内で前記オーガと同期回転する放出装置と、
前記貯氷庫に形成された放出口と、
該放出口を開閉するシャッタと、
前記冷却装置、オーガモータ、給排水装置及びシャッタの開閉を制御する制御装置とを備え、
該制御装置は、全排出工程を備え、該全排出工程においては、所定の放出スイッチが操作された場合、次回当該放出スイッチが操作されるまで前記シャッタを開放し、且つ、前記オーガモータを連続して駆動することにより、前記貯氷庫内の氷を前記放出口から放出することを特徴とする氷ディスペンサ。
【請求項２】
前記制御装置は、前記全排出工程において前記放出スイッチが最初に操作されてから所定時間経過した場合、当該全排出工程を終了し、前記冷却円筒内の製氷用水を排出して運転を停止することを特徴とする請求項１の氷ディスペンサ。
【請求項３】
前記制御装置は、前記全排出工程が所定時間以上継続した場合、前記冷却円筒内の製氷用水を排出して運転を停止することを特徴とする請求項１又は請求項２の氷ディスペンサ。
【請求項４】
外壁に冷却装置の冷却器が設けられた冷却円筒と、該冷却円筒内に同心的且つ回転可能に挿入されたオーガと、該オーガを回転駆動するオーガモータとを有し、前記冷却円筒の内壁に生成した氷を前記オーガにより削取し、上方に移送して圧縮することにより、連続的に氷片を生成して貯氷庫に貯えるオーガ式製氷機を備えた氷ディスペンサにおいて、
前記冷却円筒の給排水装置と、
前記貯氷庫内で前記オーガと同期回転する放出装置と、
前記貯氷庫に形成された放出口と、
該放出口を開閉するシャッタと、
前記冷却装置、オーガモータ、給排水装置及びシャッタの開閉を制御する制御装置とを備え、
該制御装置は、電源スイッチが切られた場合、前記シャッタを開放し、且つ、前記オーガモータを連続して駆動することにより、前記貯氷庫内の氷を前記放出口から放出する全排出工程を実行することを特徴とする氷ディスペンサ。
【請求項５】
外壁に冷却装置の冷却器が設けられた冷却円筒と、該冷却円筒内に同心的且つ回転可能に挿入されたオーガと、該オーガを回転駆動するオーガモータとを有し、前記冷却円筒の内壁に生成した氷を前記オーガにより削取し、上方に移送して圧縮することにより、連続的に氷片を生成して貯氷庫に貯えるオーガ式製氷機を備えた氷ディスペンサにおいて、
前記冷却円筒の給排水装置と、
前記貯氷庫内で前記オーガと同期回転する放出装置と、
前記貯氷庫に形成された放出口と、
該放出口を開閉するシャッタと、
前記冷却装置、オーガモータ、給排水装置及びシャッタの開閉を制御する制御装置とを備え、
該制御装置は、電源スイッチが連続して操作された場合、前記シャッタを開放し、且つ、前記オーガモータを連続して駆動することにより、前記貯氷庫内の氷を前記放出口から放出する全排出工程を実行することを特徴とする氷ディスペンサ。
【請求項６】
前記制御装置は、前記全排出工程において、前記シャッタを所定周期で開閉することを特徴とする請求項４又は請求項５の氷ディスペンサ。
【請求項７】
前記制御装置は、周囲温度に基づいて前記シャッタの開時間を変更することを特徴とする請求項６の氷ディスペンサ。
【請求項８】
前記制御装置は、前記シャッタの開閉を所定回数実行した後、前記全排出工程を終了することを特徴とする請求項６又は請求項７の氷ディスペンサ。
【請求項９】
前記制御装置は、前記貯氷庫内の氷量に応じて前記シャッタの開閉回数を変更することを特徴とする請求項８の氷ディスペンサ。
【発明の詳細な説明】
【技術分野】
【０００１】
本発明は、例えばレストラン等の店舗に設置され、オーガ式製氷機にて氷を生成して提供する氷ディスペンサに関するものである。
【背景技術】
【０００２】
従来よりこの種氷ディスペンサのオーガ式製氷機は、冷却器（冷媒配管）を外面に設けた冷却円筒内にオーガを回転可能に挿入し、冷却円筒内には給水管から製氷用水を供給すると共に、オーガモータによりオーガを回転駆動し、冷却器による冷却によって前記冷却円筒の内壁に生成した氷を削取しつつ上方に移送し、圧縮することによって連続的に氷片を生成するよう構成されている（例えば特許文献１参照）。
【０００３】
この場合、氷をカップ内に放出する氷ディスペンサでは、オーガ式製氷機で生成された氷は冷却円筒の上方に設けられる貯氷庫に貯えられる。そして、使用者により放出スイッチが押されると（操作）、貯氷庫の下部に形成されたシャッタ（扉体）を開放し、同時にオーガを回転させることにより、貯氷庫内で当該オーガと同期回転する放出装置を回転させ、所定量の氷を放出口に押し出して放出する構成とされている。
【特許文献１】特開平８−１５２２４１号公報
【発明の開示】
【発明が解決しようとする課題】
【０００４】
ここで、貯氷庫内に貯えられた氷（氷片）は、長時間放置すると再凍結して大きな固まりとなる。その状態でオーガが回転すると、同期して回転する放出装置の回転が妨げられるため、当該放出装置やオーガ、オーガモータやそれとオーガ間の減速装置などが破壊してしまう問題が生じる。
【０００５】
そこで、使用者（店舗の経営者や従業員）には、営業の終了時には放出スイッチを押して貯氷庫内の氷を全て排出するようにマニュアルにて規定しているが、貯氷庫内の全ての氷を排出するまでは放出スイッチを長時間押し続け、或いは、複数回押す作業が強いられるため、作業が繁雑となる。そのため、営業終了後も氷が貯氷庫内に残されてしまう場合が多く、上述した事故の発生が絶えなかった。
【０００６】
本発明は、係る従来の技術的課題を解決するために成されたものであり、オーガ式製氷機の貯氷庫内の氷を簡単な操作で全て排出することができる氷ディスペンサを提供するものである。
【課題を解決するための手段】
【０００７】
請求項１の発明の氷ディスペンサは、外壁に冷却装置の冷却器が設けられた冷却円筒と、該冷却円筒内に同心的且つ回転可能に挿入されたオーガと、該オーガを回転駆動するオーガモータとを有し、冷却円筒の内壁に生成した氷をオーガにより削取し、上方に移送して圧縮することにより、連続的に氷片を生成して貯氷庫に貯えるオーガ式製氷機を備えており、冷却円筒の給排水装置と、貯氷庫内でオーガと同期回転する放出装置と、貯氷庫に形成された放出口と、該放出口を開閉するシャッタと、冷却装置、オーガモータ、給排水装置及びシャッタの開閉を制御する制御装置とを備え、該制御装置は、全排出工程を備え、該全排出工程においては、所定の放出スイッチが操作された場合、次回当該放出スイッチが操作されるまでシャッタを開放し、且つ、オーガモータを連続して駆動することにより、貯氷庫内の氷を放出口から放出することを特徴とする。
【０００８】
請求項２の発明の氷ディスペンサは、上記において制御装置は、全排出工程において放出スイッチが最初に操作されてから所定時間経過した場合、当該全排出工程を終了し、冷却円筒内の製氷用水を排出して運転を停止することを特徴とする。
【０００９】
請求項３の発明の氷ディスペンサは、上記各発明において制御装置は、全排出工程が所定時間以上継続した場合、冷却円筒内の製氷用水を排出して運転を停止することを特徴とする。
【００１０】
請求項４の発明の氷ディスペンサは、外壁に冷却装置の冷却器が設けられた冷却円筒と、該冷却円筒内に同心的且つ回転可能に挿入されたオーガと、該オーガを回転駆動するオーガモータとを有し、冷却円筒の内壁に生成した氷をオーガにより削取し、上方に移送して圧縮することにより、連続的に氷片を生成して貯氷庫に貯えるオーガ式製氷機を備えたものであって、冷却円筒の給排水装置と、貯氷庫内でオーガと同期回転する放出装置と、貯氷庫に形成された放出口と、該放出口を開閉するシャッタと、冷却装置、オーガモータ、給排水装置及びシャッタの開閉を制御する制御装置とを備え、該制御装置は、電源スイッチが切られた場合、シャッタを開放し、且つ、オーガモータを連続して駆動することにより、貯氷庫内の氷を放出口から放出する全排出工程を実行することを特徴とする。
【００１１】
請求項５の発明の氷ディスペンサは、外壁に冷却装置の冷却器が設けられた冷却円筒と、該冷却円筒内に同心的且つ回転可能に挿入されたオーガと、該オーガを回転駆動するオーガモータとを有し、冷却円筒の内壁に生成した氷をオーガにより削取し、上方に移送して圧縮することにより、連続的に氷片を生成して貯氷庫に貯えるオーガ式製氷機を備えたものであって、冷却円筒の給排水装置と、貯氷庫内でオーガと同期回転する放出装置と、貯氷庫に形成された放出口と、該放出口を開閉するシャッタと、冷却装置、オーガモータ、給排水装置及びシャッタの開閉を制御する制御装置とを備え、該制御装置は、電源スイッチが連続して操作された場合、シャッタを開放し、且つ、オーガモータを連続して駆動することにより、貯氷庫内の氷を放出口から放出する全排出工程を実行することを特徴とする。
【００１２】
請求項６の発明の氷ディスペンサは、請求項４又は請求項５において制御装置は、全排出工程においてシャッタを所定周期で開閉することを特徴とする。
【００１３】
請求項７の発明の氷ディスペンサは、上記において制御装置は、周囲温度に基づいてシャッタの開時間を変更することを特徴とする。
【００１４】
請求項８の発明の氷ディスペンサは、請求項６又は請求項７において制御装置は、シャッタの開閉を所定回数実行した後、全排出工程を終了することを特徴とする。
【００１５】
請求項９の発明の氷ディスペンサは、上記において制御装置は、貯氷庫内の氷量に応じてシャッタの開閉回数を変更することを特徴とする。
【発明の効果】
【００１６】
請求項１の発明では、外壁に冷却装置の冷却器が設けられた冷却円筒と、該冷却円筒内に同心的且つ回転可能に挿入されたオーガと、該オーガを回転駆動するオーガモータとを有し、冷却円筒の内壁に生成した氷をオーガにより削取し、上方に移送して圧縮することにより、連続的に氷片を生成して貯氷庫に貯えるオーガ式製氷機を備えた氷ディスペンサにおいて、冷却円筒の給排水装置と、貯氷庫内でオーガと同期回転する放出装置と、貯氷庫に形成された放出口と、該放出口を開閉するシャッタと、冷却装置、オーガモータ、給排水装置及びシャッタの開閉を制御する制御装置とを備え、該制御装置は、全排出工程を備え、該全排出工程においては、所定の放出スイッチが操作された場合、次回当該放出スイッチが操作されるまでシャッタを開放し、且つ、オーガモータを連続して駆動することにより、貯氷庫内の氷を放出口から放出するようにしたので、制御装置を全排出工程として放出スイッチを操作することにより、次回当該放出スイッチを操作するまで放出口より貯氷庫内の氷を放出させることができるようになる。これにより、店舗の営業終了時などに貯氷庫内の氷を全て排出する場合の作業が極めて容易となるものである。
【００１７】
また、請求項２の発明では、上記に加えて制御装置は、全排出工程において放出スイッチが最初に操作されてから所定時間経過した場合、当該全排出工程を終了し、冷却円筒内の製氷用水を排出して運転を停止するようにしたので、全排出工程で最初に放出スイッチを操作してから所定時間経過したら制御装置は自動的に全排出工程を終了し、正常に運転を停止するようになる。これにより、放出スイッチを操作してから次の操作をし忘れた場合にも、貯氷庫内の氷を全て放出してから支障無く氷ディスペンサの運転が停止されるようになる。
【００１８】
また、請求項３の発明では、上記各発明に加えて制御装置は、全排出工程が所定時間以上継続した場合、冷却円筒内の製氷用水を排出して運転を停止するようにしたので、全排出工程に移行してから所定時間経過したら制御装置は自動的に当該全排出工程を終了し、正常に運転を停止するようになる。これにより、全排出工程に移行した後、放出スイッチを操作し忘れた場合には、所定時間経過後に氷ディスペンサの運転が停止されるので、全排出工程に移行し、そのまま長時間経過してから全排出工程になっているとは知らずに放出スイッチが操作され、多量の氷が放出されてしまう不都合の発生を回避できるようになる。
【００１９】
請求項４の発明では、外壁に冷却装置の冷却器が設けられた冷却円筒と、該冷却円筒内に同心的且つ回転可能に挿入されたオーガと、該オーガを回転駆動するオーガモータとを有し、冷却円筒の内壁に生成した氷をオーガにより削取し、上方に移送して圧縮することにより、連続的に氷片を生成して貯氷庫に貯えるオーガ式製氷機を備えた氷ディスペンサにおいて、冷却円筒の給排水装置と、貯氷庫内でオーガと同期回転する放出装置と、貯氷庫に形成された放出口と、該放出口を開閉するシャッタと、冷却装置、オーガモータ、給排水装置及びシャッタの開閉を制御する制御装置とを備え、該制御装置は、電源スイッチが切られた場合、シャッタを開放し、且つ、オーガモータを連続して駆動することにより、貯氷庫内の氷を放出口から放出する全排出工程を実行するようにしたので、店舗の営業終了時などに電源スイッチを切るだけで、全排出工程に移行して貯氷庫内の氷を全て排出することができるようになり、作業性が著しく向上するものである。
【００２０】
請求項５の発明では、外壁に冷却装置の冷却器が設けられた冷却円筒と、該冷却円筒内に同心的且つ回転可能に挿入されたオーガと、該オーガを回転駆動するオーガモータとを有し、冷却円筒の内壁に生成した氷をオーガにより削取し、上方に移送して圧縮することにより、連続的に氷片を生成して貯氷庫に貯えるオーガ式製氷機を備えた氷ディスペンサにおいて、冷却円筒の給排水装置と、貯氷庫内でオーガと同期回転する放出装置と、貯氷庫に形成された放出口と、該放出口を開閉するシャッタと、冷却装置、オーガモータ、給排水装置及びシャッタの開閉を制御する制御装置とを備え、該制御装置は、電源スイッチが連続して操作された場合、シャッタを開放し、且つ、オーガモータを連続して駆動することにより、貯氷庫内の氷を放出口から放出する全排出工程を実行するようにしたので、電源スイッチを連続して操作することにより、全排出工程に移行して貯氷庫内の氷を全て排出することができるようになる。これにより、店舗の営業終了時などに貯氷庫内の氷を全て排出する場合の作業が極めて容易となると共に、電源スイッチを所定時間連続して操作したときに全排出工程を実行するので、誤操作も防止されるものである。
【００２１】
また、請求項６の発明では、請求項４又は請求項５に加えて制御装置は、全排出工程においてシャッタを所定周期で開閉するので、シャッタを例えばソレノイドに通電して開放する場合に、当該ソレノイドに連続通電することによって生じるコイルの焼損を回避することができるようになる。
【００２２】
また、請求項７の発明では、上記において制御装置は、周囲温度に基づいてシャッタの開時間を変更するので、例えば周囲温度が低く通電によるコイルの温度上昇が少ない状況では、シャッタの開時間を延長して貯氷庫からの氷の全排出を迅速化することが可能となる。
【００２３】
また、請求項８の発明では、請求項６又は請求項７において制御装置は、シャッタの開閉を所定回数実行した後、全排出工程を終了するので、全排出工程を自動的に終了させて操作性を向上させることができる。
【００２４】
また、請求項９の発明では、上記において制御装置は、貯氷庫内の氷量に応じてシャッタの開閉回数を変更するので、例えば貯氷庫内の氷量が少ないときにはシャッタの開閉回数を減らして早期に全排出工程を終了させることができるようになる。
【発明を実施するための最良の形態】
【００２５】
以下、本発明の実施形態を図面に基づき詳述する。
【実施例１】
【００２６】
図１は本発明の氷ディスペンサＩＤの正面図、図２は氷ディスペンサＩＤに設けられた製氷機としてのオーガ式製氷機ＩＭの構成図、図３は氷ディスペンサＩＤの貯氷庫１９部分の正面図、図４は図３の貯氷庫１９前部の縦断側面図、図５は取付部材６０及びシュート２４を撤去した状態の貯氷庫１９部分の正面図、図６は取付部材６０を撤去した状態の貯氷庫１９前部の縦断側面図、図７は氷ディスペンサＩＤの電気回路図をそれぞれ示している。
【００２７】
本実施例の氷ディスペンサＩＤは、例えばレストランなどの店舗に設置されて氷を生成し、従業員や顧客がセットしたカップに氷を排出するものであり、その本体２５内には、図２に示すオーガ式製氷機ＩＭが内蔵されている。そして、本体２５の前面パネル２７下側には凹陥したカップ載置部２６が構成されており、カップに氷を投入したいとき、従業員や顧客はこのカップ載置部２６にカップをセットすることになる。
【００２８】
本体２５内のオーガ式製氷機ＩＭから氷を案内してカップ内に排出するための後述するシュート２４（図３）は、このカップ載置部２６の上面２６Ａ中央よりカバー載置部２６内に臨んでいる。前面パネル２７の中央寄りの位置には氷の放出を指示するための放出スイッチ４８が設けられており、その向かって右側には操作パネル６１が構成されている。この操作パネル６１には７セグメントＬＥＤから成る表示部３６の他、氷ディスペンサＩＤに電源を投入し、また、氷ディスペンサＩＤの電源を切るための電源スイッチ４９、製氷運転開始を指示するための製氷スイッチ５０、後述する冷却円筒１５内及びシスターン９内の製氷用水の強制的排出を指示するための強制排水スイッチ５１、放出スイッチ４８を押したときに一定量の氷を排出するか押している間連続して排出するかの切り換えを指示するための定量／連続スイッチ５２、各種設定を行うために表示部３６の表示を切り換えるためのメニュースイッチ５３が設けられている。
【００２９】
また、カップ載置部２６の上面２６Ａには、前方から見えない、或いは、見え難い位置にロックスイッチ５４が設けられている。このロックスイッチ５４は操作パネル６１に設けられた各スイッチの操作を規制する指示を行うためのスイッチである。これら各スイッチ４８〜５４（何れも操作スイッチ）及び表示部３６は、後述する操作基板３５に接続されている。
【００３０】
この氷ディスペンサＩＤに搭載されたオーガ式製氷機ＩＭは、図２に示す如く製氷用水から氷を生成するための冷却器２を備えた製氷部１と、この製氷部１の冷却器２と共に冷凍サイクルを構成するコンデンサ３、コンプレッサ４、及び、膨張弁５、デハイドレータ６とを冷媒配管にて順次接続して冷却装置を構成している。尚、コンデンサ３には当該コンデンサ３を空冷するための図示しないコンデンシングファンが設けられている。
【００３１】
また、前記製氷部１に製氷用水（水道水）を供給するために製氷用水を貯留するシスターン９が設けられており、このシスターン９は水道管８に給水弁ＷＶ２（本発明の冷却円筒１５の給排水装置を構成する）を介して接続されている。シスターン９にはオーバーフロー管１０が接続されると共に、シスターン９内にはその満水位を検出するためのフロートスイッチから成る満水位スイッチ２２と低水位スイッチ２３がそれぞれ設けられている。
【００３２】
また、シスターン９に貯溜された水は、給水管１２にて前記製氷部１に導入され、不要な水は排水管１３にて排出される。この排水管１３は後述する貯氷庫１９の排水管７に排水弁ＷＶ１（本発明の冷却円筒１５の給排水装置を構成する）を介して接続されている。
【００３３】
一方、前記製氷部１は、内壁を平滑な円筒状内面とされたステンレス製の冷却円筒１５内にオーガ（回転刃）１６を同心的且つ回転可能に挿入し、前記冷却円筒１５の外壁にパイプ状の前記冷却器２を螺旋状に密着巻付して構成されている。尚、これら冷却円筒１５と冷却器２との隙間には両者の結合と熱伝達性能の向上を目的としてハンダが注入されている。
【００３４】
また、前記オーガ１６は、下部を下部軸受け１７にて、上部を氷圧縮経路を構成する上部軸受け１８にて軸支されている。また、この上部軸受け１８にて圧縮された氷（氷片）は、冷却円筒１５の上方に設けられた貯氷庫１９に導出される。
【００３５】
前記給水管１２と排水管１３は冷却円筒１５の下部においてその内部にそれぞれ連通すると共に、これらの下方における冷却円筒１５の下部には、更にオーガ１６を回転駆動するためオーガモータ４５（後述）を備える駆動装置２０が減速装置２１を介して接続されている。
【００３６】
前記貯氷庫１９は、上面に開口を有する断熱箱体により構成されており、この上面開口には、蓋部材１９Ａが開閉自在に設けられている。また、この蓋部材１９Ａには、貯氷庫１９内の貯氷量を検出する貯氷センサ３３が設けられると共に、貯氷庫１９内にはオーガ１６の上端に連結されて当該オーガ１６と同期回転する放出装置６２が設けられている。更に、この貯氷庫１９の前下部には、放出口６３が形成されており、放出装置６２は回転して貯氷庫１９内の氷をこの放出口６３に押し出す。
【００３７】
そして、この貯氷庫１９の前面（外面）には放出口６３を開閉するための開閉扉装置２９が設けられている。この開閉扉装置２９は、貯氷庫１９の前面に取り付けられる基台６４と、この基台６４上部に取り付けられたソレノイド（電磁ソレノイドから成る駆動手段）２８と、このソレノイド２８から下方に突出して垂下するプランジャ（ソレノイドプランジャ）６６と、基台６４の下部に設けられた水平方向の回動軸６７を中心として上端部が回動自在に枢支され、前記貯氷庫１９の放出口６３を開閉するシャッタ６８などから構成されている。
【００３８】
即ち、ソレノイド２８はシャッタ６８の上方に位置しており、ソレノイド２８のコイルが非励磁の状態ではプランジャ６６は自重にて下方に突出している。そして、ソレノイド２８のコイルが励磁されるとプランジャ６６は吸引され、上昇する。このプランジャ６６の先端には、連結軸６９を中心として回動自在に連結部材（連結手段）７１の上端部が連結されており、この連結部材７１の下部には上下方向の長孔７２が形成されている。尚、基台６４にはプランジャ６６の左右両側に位置する案内板８１が取り付けられており、この案内板８１には上下方向の案内溝８２が形成されている。そして、前記連結軸６９はこの案内溝８２内に移動且つ回動自在に係合されている。
【００３９】
一方、シャッタ６８の外面（前面）にはカバー壁７３が立設されている。このカバー壁７３はシャッタ６８の左右両側及び非枢支側に渡って設けられており、カバー壁７３の左右両側の壁は前記回動軸６７を要とした扇状を呈しており、非枢支側の壁は回動軸６７を中心とした円弧状を呈している。このカバー壁７３の左右両側の壁間に渡って移動軸７４が取り付けられており、この移動軸７４は前記連結部材７１の長孔７２内に移動且つ回動自在に係合されている。
【００４０】
また、回動軸６７にはコイルバネ７６が巻回されており、このコイルバネ７６は基台６４とシャッタ６８の外面間に渡って当接し、このシャッタ６８を常時閉鎖方向（放出口６３を閉鎖する方向）に付勢する。更に、シャッタ６８の内面（貯氷庫１９側の面）にはシールゴム７７が取り付けられており、このシールゴム７７は放出口６３よりも大きい面積を有している。
【００４１】
他方、貯氷庫１９の前面には、放出口６３の下縁には斜め下方に延在するスライダ７８が取り付けられている。このスライダ７８は放出口６３の横幅方向の全幅（或いはそれ以上）に渡って設けられ、放出口６３から放出された氷を後述するシュート２４内に案内する。そして、シャッタ６８が開放したときにこのシャッタ６８と対向するスライダ７８の上面には湾曲面７８Ａが形成されている。この湾曲面７８Ａはスライダ７８の横幅横行の全幅に渡って形成されており、従って、放出口６３の横幅方向の全幅（或いはそれ以上）に渡っている。また、湾曲面７８Ａは所定曲率を有してシャッタ側（斜め前上方）に向けて張り出している。
【００４２】
この場合、シャッタ６８が図９のように全開状態となったときの当該シャッタ６８とスライダ７８の湾曲面７８Ａとの最短距離は放出口６３の上下寸法以上に設定されている。また、湾曲面７８Ａはシャッタ６８が回動した際の先端の軌道より少なくとも氷１個分以上前下方に延在して形成されている。
【００４３】
また、貯氷庫１９外面（前面）には取付部材６０が取り付けられ、前述したシュート２４はこの取付部材６０内に保持されている（図３、図４以外では撤去）。この取付部材６０は一枚の鋼板を屈曲して構成されており、縦長の前壁部及び左右側壁部を有して上下及び後側が開放された形状を呈している。そして、左右側壁部の後縁上端部から左右に張り出したフランジ６０Ａにて貯氷庫１９の外面にネジ止めされている。この場合、取付部材６０の上端は放出口６３の上下寸法の略中央の高さに位置する。また、取付部材６０の左右側壁部には、下縁から上方に向けて切り込まれたスリット状の被係合部６０Ｂが形成されている。
【００４４】
一方、シュート２４は硬質合成樹脂にて成形された上下に長い略矩形筒状を呈しており、上下に開放し、且つ、後面上部も後方に開放している。また、シュート２４の左右側壁上部には外方に突出したフランジ状の係合部２４Ａが一体に形成されている。そして、下方からシュート２４を取付部材６０内に挿入すると、シュート２４の係合部２４Ａが取付部材６０の被係合部６０Ｂ内に進入して係脱自在に係合する。そして、係合部２４Ａの上面が被係合部６０Ｂの上縁に当接することでシュート２４は所定位置に位置決めされる。そして、シュート２４の下端はカバー載置部２６の上面２６Ａにネジ止めされる保持板７９により保持される。これによって、シュート２４は取付部材６０内で上下、左右、及び、前後に移動不能な状態で確実に、且つ、着脱可能に保持される。
【００４５】
このシュート２４が所定位置に位置決めされた状態で、シュート２４の上端は取付部材６０の上端と略同じ高さにある。そして、シュート２４は放出口６３の前方に位置して下方に延在し、その下部は取付部材６０より下方に突出してカバー載置部２６内に臨んでいる（図４）。このとき、スライダ７８は放出口６３の下縁からシュート２４内に延在し、放出口６３から放出される氷をシュート２４内に案内する。更に、シャッタ６８及びそのカバー壁７３はシュート２４内で回動自在とされ、更に、シャッタ６８が図８のように放出口６３を閉鎖した状態で、カバー壁７３はシュート２４の上面開口を覆う。そして、この状態から図１１のようにシャッタ６８が全開状態となるまでの間、シャッタ６８より上方は当該シャッタ６８とカバー壁７３にてシュート２４内と仕切られる。
【００４６】
これにより、開閉扉装置２９を構成するソレノイド２８やプランジャ６６、連結部材７１やコイルバネ７６が万一破損した場合にも、それらの破片や部品はカバー壁７３で囲まれたシャッタ６８の外面に受け止められるようになる。従って、放出口６３から放出される氷にこれら異物が混入する不都合を防止若しくは最小限に抑制することができるようになり、安全な氷供給を実現することができるようになる。
【００４７】
また、シュート２４の下部は取付部材６０より下方に突出しているので、シュート２４の下端部及び内面下部の汚れは下から拭き取ることができる。更に、シュート２４全体を清掃する場合には、ネジ止めされた保持板７９を外し、下方に引けば、取付部材６０より容易にシュート２４を引き抜くことができる。
【００４８】
次に、図７を参照して氷ディスペンサＩＤの電気回路を説明する。図７において、Ｋはリミットセンサ３０、コンデンサ３の温度を検知するコンデンサセンサ３１、冷却器２の温度を検知する冷却器センサ３２、前記貯氷庫１９内の貯氷量を検知する貯氷センサ３３が接続された制御装置としてのコントロール基板である。このコントロール基板Ｋは汎用マイクロコンピュータ（制御手段）から構成されており、基板用トランス３４から電源を得ている。
【００４９】
また、前記コントロール基板Ｋには、各センサ３０、３１、３２、３３の他、操作基板３５、高圧スイッチ３７、及び、前記満水位スイッチ２２、低水位スイッチ２３が接続されている。商用交流電源には、前記コンプレッサ４のコンプレッサモータ３９をＯＮ−ＯＦＦするコンプレッサ用リレー接点４０、始動コンデンサ４１、及び、運転コンデンサ４２、コンプレッサモータ始動リレー４３、コンプレッサモータ用オーバーロードリレー４４が直列に接続されている。更に、コンプレッサモータ始動リレー４３とコンプレッサモータ用オーバーロードリレー４４との間から前記コントロール基板Ｋに接続している。
【００５０】
また、前記コントロール基板Ｋには、前記開閉扉装置２９のソレノイド２８に接続されたリレーＲ５と、前記オーガモータ４５及び運転コンデンサ４６に接続されたリレーＲ４と、前記コンデンシングファンのコンデンシングファンモータ５６及びコンプレッサ用リレーＲＬに接続されたリレーＲ３と、排水弁ＷＶ１に接続されたリレーＲ２と、給水弁ＷＶ２に接続されたリレーＲ１とを備えている。尚、コンプレッサ用リレーＲＬは、コンプレッサ用リレー接点４０をＯＮ−ＯＦＦさせるもので、４７は前記オーガモータ４５のオーバーロードリレーである。
【００５１】
また、前記操作基板３５には、前述した放出スイッチ４８、表示部３６、電源スイッチ４９、製氷スイッチ５０、強制排水スイッチ５１、定量／連続スイッチ５２、メニュースイッチ５３、ロックスイッチ５４がそれぞれ設けられている。更に、５５はオーガモータ４５の通電電流値を検出する電流検出手段としてのカレントトランスであり、コントロール基板Ｋに設けられ、接続されている。尚、コントロール基板Ｋのマイクロコンピュータはその機能として後述するタイマを備えている。
【００５２】
上述した構造において、本発明の氷ディスペンサＩＤの動作を説明する。氷ディスペンサＩＤの運転停止状態から操作パネル６１の電源スイッチ４９を押す（操作）と、氷ディスペンサＩＤは運転状態となる。次に、製氷スイッチ５０を押す（操作）と、次の初回洗浄工程が開始される。
【００５３】
（１）初回洗浄工程
この初回洗浄工程では、低水位スイッチ２３がＯＮとなっており、コントロール基板Ｋのマイクロコンピュータは給水弁ＷＶ２及び排水弁ＷＶ１を開き、冷却円筒１５内に給水すると共に排水を行う。尚、初回洗浄工程と後述する製氷工程においては、マイクロコンピュータは初期設定状態で排水弁ＷＶ１を１時間毎（定時排水間隔）に３０秒間（定時排水時間）開く排水動作を実行する。それによって、冷却円筒１５内の製氷用水を廃棄し、冷却円筒１５内の洗浄を行う。従って、この初回洗浄工程においても排水弁ＷＶ１を３０秒開く。
【００５４】
また、マイクロコンピュータは排水弁ＷＶ１を閉じた後も給水弁ＷＶ２を開としており、この初回洗浄工程で満水位スイッチ２２がＯＮされるまで給水される。尚、この給水管１２からの給水量は、排水管１３による排水量より水量が多くなるよう設定されており、そのため、排水弁ＷＶ１が開であっても、給水弁ＷＶ２を開いていると、所定時間経過後、低水位スイッチ２３はＯＦＦとなる。また、係る初回洗浄工程開始と同時に、オーガモータ４５へ通電され、オーガ１６が回転駆動される。
【００５５】
（２）製氷工程
また、満水位スイッチ２２がＯＮすると、マイクロコンピュータは続いて製氷工程に入り、給水弁ＷＶ２をＯＦＦし、コンプレッサ４（コンプレッサモータ３９）及びファンモータ５６をＯＮして製氷を行う。この製氷工程においては、オーガ１６により冷却円筒１５の内壁に生成した氷を削取しつつ上方に移送し、上部軸受け１８の氷圧縮経路にて圧縮することによって、連続的に氷片を生成する。生成された氷（氷片）はその上部に設けられている貯氷庫１９に導出され、蓄えられる。
【００５６】
係る製氷工程で、シスターン９内の製氷用水が無くなると、低水位スイッチ２３がＯＮするので、コントロール基板Ｋのマイクロコンピュータは給水弁ＷＶ２を開放し、給水を開始する。そして、満水位スイッチ２２がＯＮすると給水弁ＷＶ２が閉じられる。
【００５７】
（３）貯氷工程
この製氷、給水の動作を繰り返した後、貯氷センサ３３が満氷を検知すると、３０秒間経過後、コントロール基板Ｋのマイクロコンピュータはコンプレッサ４及びファンモータ５６をＯＦＦし、排水弁ＷＶ１を開いて冷却円筒１５内の製氷用水を排出し、その後９０秒経過したらオーガモータ４５をＯＦＦして製氷工程（製氷動作）を停止して貯氷工程に入る。
【００５８】
この貯氷工程において貯氷センサ３３が満氷を検知しなくなってから１５０秒後にコントロール基板Ｋのマイクロコンピュータは製氷開始と判断し、オーガモータ４５をＯＮ、排水弁ＷＶ１を開とする。ここでは、一度排水しているため、低水位スイッチ２３がＯＮとなる。この低水位スイッチ２３がＯＮとなると同時に、コントロール基板Ｋのマイクロコンピュータは給水弁ＷＶ２を開とし、満水位スイッチ２２が満水検知するまで給水を継続する。
【００５９】
満水位スイッチ２２がＯＮすると、再び製氷工程に移行し、コンプレッサ４（コンプレッサモータ３９）及びファンモータ５６をＯＮとして製氷を再開する。このようにして、貯氷庫１９内には常時所定量の氷が貯留される。
【００６０】
（４）氷放出動作
次に、開閉扉装置２９による貯氷庫１９からの氷放出動作について説明する。尚、定量／連続スイッチ５２で定量が選択されている場合、コントロール基板Ｋのマイクロコンピュータは放出スイッチ４８が一回押される（操作）毎に後述する如くシャッタ６８により放出口６３を開き、所定期間経過後に閉じて一定量の氷を放出する。また、連続が選択されている場合、マイクロコンピュータは放出スイッチ４８は押されている間（操作）シャッタ６８により放出口６３を開放し、放出スイッチ４８から手をはなすまで氷を放出し続け、放出スイッチ４８が押されなくなったらシャッタ６８を閉じる動作を実行する。
【００６１】
また、シャッタ６８により放出口６３を開放している間、コントロール基板Ｋのマイクロコンピュータはオーガモータ４５をＯＮしてオーガ１６及び放出装置６２を回転させ、貯氷庫１９内の氷を放出口６３方向に押し出すものとする。
【００６２】
例えば現在は定量が選択されているものとすると、放出スイッチ４８が押されることにより、コントロール基板Ｋのマイクロコンピュータはソレノイド２８（コイル）に通電する。このソレノイド２８が通電されると、プランジャ６６がソレノイド２８の電磁力によって吸引されるので、図６の状態からプランジャ６６が上昇していく。このプランジャ６６の上昇によって連結部材７１が引き上げられるので、移動軸７４は長孔７２内を相対的に降下することになる。そして、図８の如く移動軸７４が長孔７２下端に到達すると、プランジャ６６の上昇に伴って移動軸７４が引き上げられるようになるので、コイルバネ７６に抗してシャッタ６８が引き上げられ、回動軸６７を中心として図８中時計回りに回動する。これによって、放出口６３は開放されていき、やがて図９の如くプランジャ６６が吸引されて上昇し切ったところでシャッタ６８は放出口６３を全開状態とする。
【００６３】
前述した如くシャッタ６８の開放中、放出装置６２は回転されるので、貯氷庫１９内の氷は開放されている放出口６３より押し出され、スライダ７８上を滑ってシュート２４内に落下する。そして、このシュート２４内を経てカップ載置部２６に載置されたカップ内に排出される。この場合、前述した如くシャッタ６８が全開状態となったときの当該シャッタ６８とスライダ７８の湾曲面７８Ａとの最短距離は放出口６３の上下寸法以上に設定されているので、スライダ７８の湾曲面７８Ａによって氷の排出に支障が生じることは無い。
【００６４】
係るソレノイド２８への通電開始から所定期間経過後、コントロール基板Ｋのマイクロコンピュータは当該ソレノイド２８への通電を断つ。ソレノイド２８の電磁力が消失するので、プランジャ６６は自重とコイルバネ７６の付勢力によって降下する。同時にシャッタ６８は図９中反時計回りに回動され、図８の如く放出口６３を閉じる。これによって、氷の排出は終了する。更に、プランジャ６６は自重で連結軸６９が案内溝８２の下縁に当接するまで降下し、最下点まで突出すると移動軸７４が長孔７２内を相対的に上端部まで上昇して図６の状態に復帰する。
【００６５】
この図６の状態では、回動軸６７を中心として移動軸７４が図６中時計回りに回動する場合の円弧の接線が、垂下するプランジャ６６の延在方向と成す角度が図８の状態よりも拡大するので、連結部材７１はシャッタ６８を外面側から放出口６３方向に押し付けることになる。これにより、シャッタ６８の閉鎖状態がロックされるので、係る比較的簡単な構成で貯氷庫１９内の氷の荷重に対向し、シャッタ６８の閉鎖状態を維持することができるようになる。
【００６６】
また、プランジャ６６が自重により降下してシャッタ６８を閉鎖方向に付勢し、且つ、係るロック状態を維持することになるので、格別な発条部材などを用いる必要が無くなる。従って、部品点数の削減を図ることができると共に、折損の恐れのある発条部材などを削除できるために耐久性も向上する。また、発条部材などが伸縮する動作音も無くなるので静音化も実現することができるようになる。
【００６７】
（５）氷詰まり
ここで、放出口６３からは連続して氷が放出されるので、シャッタ６８が開放されてから閉じたとき、シャッタ６８とスライダ７８との間に氷が挟まって詰まる場合があるが、シャッタ６８が開放したときにこのシャッタ６８と対向するスライダ７８の上面に湾曲面７８Ａが形成されているので、シャッタ６８が閉まりきる直前に氷はこの湾曲面７８Ａの上部とシャッタ６８間に挟まることになる。このとき、湾曲面７８Ａはシャッタ６８側に張り出しているので、湾曲面７８Ａ上部とシャッタ６８間に氷が挟まった状態で、湾曲面７８Ａは上部より中央部（湾曲面７８Ａの頂点）に行くに従ってシャッタ６８に接近していくことになる。従って、シャッタ６８先端（非枢支側の端部）と湾曲面７８Ａの間の隙間は、氷が挟まった湾曲面７８Ａ上部におけるシャッタ６８との間隔よりも著しく小さくなるので、氷が詰まった箇所以外の範囲から氷が溢れ出てしまう不都合も防止若しくは抑制される。
【００６８】
また、湾曲面７８Ａはシャッタ側に向けて所定曲率で張り出しているので、その上部と水平面とが作る角度は小さく、逆にシャッタ６８と水平面とが作る角度は大きくなる。そのため、シャッタ６８が閉じようとする力は、湾曲面７８Ａ上部に位置する氷を貯氷庫１９方向に押し戻すように有効に作用することになるので、状況によっては詰まった氷を貯氷庫１９に戻し、シャッタ６９を閉鎖状態に復帰させることも可能となる。更に、この湾曲面７８Ａは前述したようにシャッタ６８が回動した際の先端の軌道より少なくとも氷１個分以上前下方に延在して形成されているので、この湾曲面７８Ａ先端の端面とシャッタ６８間に氷が挟まり、シャッタ６８が回動不能に陥る危険性もない。
【００６９】
（６）操作パネルスイッチのロック
ここで、コントロール基板Ｋのマイクロコンピュータは、ロックスイッチ５４が押されると（操作）、操作パネル６１に配置された電源スイッチ４９、製氷スイッチ５０、強制排水スイッチ５１、定量／連続スイッチ５２及びメニュースイッチ５３の操作を無効とする規制制御を実行する。これにより、格別なカバーを設けること無く、顧客により恣意的にこれらスイッチ４９〜５３が操作され、氷の放出操作以外の操作が行われてしまう不都合を防止することができるようになる。
【００７０】
係る規制制御はもう一度ロックスイッチ５４が押されるまで実行される。また、このロックスイッチ５４はカップ載置部２６上面の前方から見えない、或いは、見え難い位置にあるので、顧客により操作される危険性も少ない。尚、係るロックスイッチ５４によって操作無効となるスイッチはメニュースイッチ５３によって予め選択し、設定しておくことができる。また、操作パネル６１をバックライトで照明する場合には、操作を無効とするときにこのバックライトを消灯してもよい。また、スイッチ操作の無効の代わりに、係るバックライトを消灯し、操作パネル６１のスイッチを見えなくするのみでも、スイッチ４９〜５３の操作規制は実現可能である。
【００７１】
（７）定期交換時期の表示／制御
また、上部軸受け１８は経年使用により摩耗する。この摩耗が進行すると、オーガ１６の回転が振れて冷却円筒１５内面に重大な損傷を生じさせ、また、オーガ１６や冷却円筒１５の破損によって氷に異物が混入する危険性が生じる。
【００７２】
そこで、コントロール基板Ｋのマイクロコンピュータは、オーガモータ４５の延べ運転時間を積算し、記憶しており、積算時間が上部軸受け１８の安全耐用期間（例えば１８０００時間）に達した場合、表示部３６或いはコントロール基板Ｋの図示しない点検基板にて警報を表示する。但し、この警報表示を行った時点では氷ディスペンサＩＤの運転停止は行わず、以後の運転も許容する。これにより、店舗における氷の需要に対応する。そして、この警報表示を行った後、上部軸受け１８が交換された場合には、所定のリセット操作により上記積算時間の記憶はクリアされる。
【００７３】
但し、係るリセット操作が行われず、前記警報表示が行われてからオーガモータ４５の運転が所定の限界期間（例えば５００時間）継続された場合、コントロール基板Ｋのマイクロコンピュータは前記点検基板にその旨表示した状態で氷ディスペンサＩＤの運転を停止する。これによって、オーガ１６や冷却円筒１５の破損を確実に防止する。
【００７４】
（８）シャッタ開閉回数警報
また、コントロール基板Ｋのマイクロコンピュータは、開閉扉装置２９のソレノイド２８によるシャッタ６８の開閉回数を積算し、記憶しており、所定の耐用回数（例えば２０万回〜５０万回）に達した場合、前述同様に警報表示を行う。これにより、開閉扉装置２９の点検・交換を促し、部品破損によって氷に異物が混入する危険性を最小限に抑える。
【００７５】
（９）ソレノイド保護
また、氷を連続放出するように設定されている場合、放出スイッチ４８が押されている間、ソレノイド２８のコイルには連続して通電が行われることになる。通常このソレノイド２８のコイルと電源間には図示しないバイメタルスイッチが設けられ、焼損保護が取られるが、コントロール基板Ｋのマイクロコンピュータは、ソレノイド２８のコイルへの通電時間を積算しており、係る放出スイッチ４８の連続押圧或いは何らかの故障によってソレノイド２８のコイルに所定の耐用時間（例えば後述する全排出工程における開放時間タイマＴ２の所定の開放時間と同じ３分）以上連続して通電が行われた場合、強制的にリレーＲ５を非励磁とし、ソレノイド２８のコイルへの通電を断つ。これによって、ソレノイド２８のコイルの焼損を未然に回避する。
【００７６】
（１０）全排出工程
次に、コントロール基板Ｋのマイクロコンピュータによる氷ディスペンサＩＤの全排出工程について図１０を参照しながら説明する。店舗の閉店時など、貯氷庫１９内に貯えられた氷（氷片）が長時間放置されると、それらは再凍結して大きな固まりとなる。その状態でオーガ１６が回転され、同期して放出装置６２が回転されると、貯氷庫１９内の氷の固まりによって放出装置６２の回転が妨げられるため、当該放出装置６２やオーガ１６、駆動装置２０のオーガモータ４５やそれとオーガ１６間の減速装置２１が破壊してしまう。
【００７７】
そこで、店舗を閉店する際には先ず所定の回収容器をカップ載置部２６にセットした後、操作パネル６１の製氷スイッチ５０と強制排水スイッチ５１を同時に押す（ＯＮ）。コントロール基板Ｋのマイクロコンピュータは、使用者によりこの製氷スイッチ５０と強制排水スイッチ５１が同時に押されると、図１０のステップＳ１からステップＳ２に進み、全排出工程に移行する。
【００７８】
尚、コントロール基板Ｋのマイクロコンピュータはこの全排出工程においては貯氷センサ３３の検出動作は無視し、コンプレッサ４を含む冷却装置の運転は禁止し、給水弁ＷＶ２も閉じた状態とする。そして、ステップＳ３でマイクロコンピュータが機能として有する最長時間タイマＴ１（所定の最長時間、例えば３０分でカウントアップ）のカウントを開始する。
【００７９】
この全排出工程に移行した後、使用者が次に放出スイッチ４８を押すと、コントロール基板ＫのマイクロコンピュータはステップＳ４からステップＳ５に進み、マイクロコンピュータが機能として有する開放時間タイマＴ２（所定の開放時間、例えば３分。この３分は連続してシャッタ６８が放出口６３を開放している状態で、満氷状態の貯氷庫１９内の氷が空になるのに十分な時間である。）のカウントを開始する。
【００８０】
次に、ソレノイド２８に通電し（ＯＮ）、前述した如くシャッタ６８を回動させて放出口６３を開放し、且つ、オーガモータ４５を駆動してオーガ１６及び放出装置６２を回転駆動させる。これにより、貯氷庫１９内の氷は放出口６３から放出され、シュート２４を経て前述した回収容器に排出される。そして、貯氷庫１９内が空になったと使用者が判断したら、もう一度放出スイッチ４８を押す（ＯＮ）。コントロール基板Ｋのマイクロコンピュータは、ステップＳ６で氷の排出を開始した後、使用者によりもう一度放出スイッチ４８が押されると、ステップＳ７からステップＳ８に進み、ソレノイド２８への通電を停止してシャッタ６８を閉じ、オーガモータ４５も停止させる。次に、ステップＳ１０に進んで全排出工程を終了し、排水弁ＷＶ１を開き、冷却円筒１５内の製氷用水を廃棄した後、電源を切って氷ディスペンサＩＤの運転を停止する。
【００８１】
このように、コントロール基板Ｋのマイクロコンピュータは全排出工程を備えており、製氷スイッチ５０と強制排水スイッチ５１を同時に押して全排出工程に移行させた後、放出スイッチ４８を押すことにより、次回放出スイッチ４８を押すまで放出口６３より貯氷庫１９内の氷を放出させることができるので、店舗の営業終了時などに貯氷庫１９内の氷を全て排出する場合の作業が極めて容易となる。
【００８２】
ここで、ステップＳ６でシャッタ６８が開放され、オーガモータ４５が駆動されて氷の排出が開始されてから所定の開放時間（例えば３分）が経過しても放出スイッチ４８が押されない場合、コントロール基板ＫのマイクロコンピュータはステップＳ１２からステップＳ８に進み、ソレノイド２８への通電を停止してシャッタ６８を閉じ、オーガモータ４５も停止させる。そして、ステップＳ１０に進んで全排出工程を終了し、排水弁ＷＶ１を開き、冷却円筒１５内の製氷用水を廃棄した後、電源を切って氷ディスペンサＩＤの運転を停止する。
【００８３】
このように、全排出工程で最初に放出スイッチ４８を押してから所定の開放時間が経過したらコントロール基板Ｋのマイクロコンピュータは自動的に全排出工程を終了し、正常に運転を停止するので、放出スイッチ４８を操作してから使用者が次の操作（放出スイッチ４８を押すこと）をし忘れた場合にも、貯氷庫１９内の氷を全て放出してから支障無く氷ディスペンサＩＤの運転は停止される。
【００８４】
また、ステップＳ２で全排出工程に移行してから所定の所定の最長時間（例えば３０分）が経過しても放出スイッチ４８が押されず、全排出工程が終了しない場合、コントロール基板ＫのマイクロコンピュータはステップＳ１１からステップＳ１０に進み、全排出工程を終了し、排水弁ＷＶ１を開き、冷却円筒１５内の製氷用水を廃棄した後、電源を切って氷ディスペンサＩＤの運転を停止する。
【００８５】
即ち、コントロール基板Ｋのマイクロコンピュータは、全排出工程が所定の最長時間以上継続した場合、自動的に全排出工程を終了して冷却円筒１５内の製氷用水を排出し、運転を停止する。これにより、全排出工程に移行した後、放出スイッチ４８を操作し忘れた場合には、所定の最長時間経過後に氷ディスペンサＩＤの運転が停止されるので、全排出工程に移行し、そのまま長時間経過してから全排出工程になっているとは知らずに他の使用者が放出スイッチ４８を押し、多量の氷が放出されてしまうなどの不都合の発生を回避できるようになる。
【実施例２】
【００８６】
（１０−１）全排出工程の他の実施例
次に、コントロール基板Ｋのマイクロコンピュータによる全排出工程の制御の他の実施例を説明する。この場合、マイクロコンピュータは氷ディスペンサＩＤの運転中に使用者により電源スイッチ４９が押されて電源が切られた場合、全排出工程に移行する。この場合の全排出工程では、自動的に前述した所定の開放時間（例えば３分間）、シャッタ６８を開放し、オーガモータ４５を駆動してオーガ１６及び放出装置６２を回転させる。また、この全排出工程中、前述同様にコンプレッサ４は停止し、給水弁ＷＶ２も閉じている（以下、同じ）。その後、前述同様に冷却円筒１５内の製氷用水を廃棄した後、電源を切って氷ディスペンサＩＤの運転を停止する。
【００８７】
このような制御を実行すれば、電源スイッチ４９を切ると云う操作によって自動的に貯氷庫１９内の氷の全排出が行われ、その後電源が切れるので、操作性が非常に良好になる。
【実施例３】
【００８８】
（１０−２）全排出工程の更に他の実施例
次に、コントロール基板Ｋのマイクロコンピュータによる全排出工程の制御のもう一つの他の実施例を説明する。この場合、マイクロコンピュータは氷ディスペンサＩＤの運転中に使用者により電源スイッチ４９が所定期間連続して押された場合、全排出工程に移行する。この場合の全排出工程でも前述した所定の開放時間（例えば３分間）、シャッタ６８を開放し、オーガモータ４５を駆動してオーガ１６及び放出装置６２を回転させる。その後、前述同様に冷却円筒１５内の製氷用水を廃棄した後、電源を切って氷ディスペンサＩＤの運転を停止する。
【００８９】
このような制御を実行すれば、誤って電源スイッチ４９に触ってしまった場合に全排出工程に移行してしまう不都合（誤動作）を回避できる。
【００９０】
尚、前述した全排出工程において、ソレノイド２８のコイルへの通電を間欠的に行い（例えば５秒通電、４０秒非通電を繰り返す）、シャッタ６８を所定周期で開閉させてもよい。それにより、例えばソレノイド２８のコイルが焼損し易いものであった場合にも、温度上昇を抑えてコイルの焼損を回避することができるようになる。
【００９１】
また、その場合、氷ディスペンサＩＤの周囲温度に基づいてソレノイド２８に通電してシャッタ６８を開く時間を変更してもよい。その場合には周囲温度を検出する外気温センサを設けることになる。そして、周囲温度が例えば低く、通電によるコイルの温度上昇が少ない状況では、シャッタ２８の開時間を延長する（例えば、通電１０秒等）。それにより、貯氷庫１９からの氷の全排出を迅速化することが可能となる。但し、周囲温度が高い場合にはソレノイド２９への通電時間を上述した５秒（通常値）に戻す。
【００９２】
また、前述した３分によらず、係るシャッタ６８の開閉を所定回数（例えば上記５秒通電、４０秒非通電を３６回）実行した後、全排出工程を終了するようにしてもよい。それによっても全排出工程を自動的に終了させて操作性を向上させることができるようになる。
【００９３】
更に、例えば貯氷庫１９内の貯氷量を細かく検出できるスイッチを備えている場合には、係る貯氷庫１９内の氷量に応じてシャッタ６８の開閉回数を変更してもよい。即ち、その場合、氷量が少ないときにはシャッタ６８の開閉回数を減らせば、早期に全排出工程を終了させることができるようになる。
【図面の簡単な説明】
【００９４】
【図１】本発明の一実施例の氷ディスペンサの正面図である。
【図２】本発明の氷ディスペンサに設けられたオーガ式製氷機の構成図である。
【図３】本発明の氷ディスペンサの貯氷庫部分の正面図である。
【図４】図３の貯氷庫前部の縦断側面図である。
【図５】取付部材及びシュートを撤去した状態の本発明の氷ディスペンサの貯氷庫部分の正面図である。
【図６】取付部材を撤去した状態の本発明の氷ディスペンサの貯氷庫前部の縦断側面図である。
【図７】本発明の氷ディスペンサの電気回路図である。
【図８】シャッタの開放途中を示す図３の貯氷庫前部の縦断側面図である。
【図９】シャッタの全開状態を示す図３の貯氷庫前部の縦断側面図である。
【図１０】コントロール基板のマイクロコンピュータによる全排出工程の動作を説明するフローチャートである。
【符号の説明】
【００９５】
ＩＤ  氷ディスペンサ
ＩＭ  オーガ式製氷機
Ｋ    コントロール基板
１    製氷部
２    冷却器
３    コンデンサ
４    コンプレッサ
１５  冷却円筒
１６  オーガ
１９  貯氷庫
２４  シュート
２５  本体
２６  カップ載置部
２８  ソレノイド
２９  開閉扉装置
４８  放出スイッチ
４９  電源スイッチ
５０  製氷スイッチ
５１  強制排水スイッチ
５４  ロックスイッチ
６１  操作パネル
６２  放出装置
６３  放出口
６６  プランジャ
６７  回動軸
６８  シャッタ
【図１】
2006242453.tif 000003
【図２】
2006242453.tif 000004
【図３】
2006242453.tif 000005
【図４】
2006242453.tif 000006
【図５】
2006242453.tif 000007
【図６】
2006242453.tif 000008
【図７】
2006242453.tif 000009
【図８】
2006242453.tif 000010
【図９】
2006242453.tif 000011
【図１０】
2006242453.tif 000012